(57)【要約】【課題】  収納用に広いスペースを必要としない投影角度調整装置を有する薄型のプロジェクタを提供する。【解決手段】  光源装置63や冷却ファンを内蔵するデータプロジェクタであって、光源装置63をプロジェクタの筐体内部前方に有し、当該光源装置63の下方に位置する光源下部カバー12が後端を回動軸として開閉可能であり、光源下部カバー12は、方形状薄板のカバー本体の左右両端に略三角形状の側壁を有し、側壁の一部に係合部23を有すると共に、この係合部23に先端が係合可能な部材を備えた開閉制御装置15を有して光源下部カバー12の開閉角が調整固定可能であることを特徴とするものである。【選択図】図１
2008111898.tif 000002
【特許請求の範囲】
【請求項１】
光源装置や冷却ファンを内蔵するデータプロジェクタであって、前記光源装置をプロジェクタの筐体内部前方に有し、当該光源装置の下方に位置する光源下部カバーが後端を回動軸として開閉可能であることを特徴とするプロジェクタ。
【請求項２】
前記光源下部カバーは、方形状薄板のカバー本体の左右両端に略三角形状の側壁を有し、側壁の一部に係合部を有すると共に、この係合部に先端が係合可能な部材を備えた開閉制御装置を有して前記光源下部カバーの開閉角が調整固定可能であることを特徴とする請求項１に記載のプロジェクタ。
【請求項３】
前記開閉制御装置は、開閉ボタンと、当該開閉ボタンの裏面に配置され開閉ボタンを復帰させる押しバネと、開閉ボタンの端部と接続し開閉ボタンの動きに連動して摺動する第一連動軸と、第一連動軸の端部と接続し中心にカム軸が摺動する軸摺動孔が形成されたカム板と、カム板の端部と接続し他端が光源下部カバーの係合部の係合溝と係合する第二連動軸とを備えることを特徴とする請求項２に記載のプロジェクタ。
【請求項４】
前記冷却ファンは前記光源装置の後方に配置されると共に、前記筐体はその内部が冷却ファンを配置した吸気側空間室と前記光源装置を配置する排気側空間室に区画され、筐体の前面板に排気孔を有することを特徴とする請求項１又は請求項３のいずれかに記載のプロジェクタ。
【請求項５】
前記光源装置の下部にランプ下方排気板を有することを特徴とする請求項１乃至請求項４のいずれかに記載のプロジェクタ。
【請求項６】
前記ランプ下方排気板は、前記光源下部カバーよりも僅かに小さな方形状の下面板とこの下面板の前端から立ち上がる前方板を有することを特徴とする請求項５に記載のプロジェクタ。
【請求項７】
前記ランプ下方排気板は、下面板及び前方板に貫通孔を有することを特徴とする請求項６に記載したプロジェクタ。
【発明の詳細な説明】
【技術分野】
【０００１】
本発明は、投影角度調整装置を有するプロジェクタに関するものである。
【背景技術】
【０００２】
今日、パーソナルコンピュータの画面に表示される画像やビデオ信号の画像、更にはメモリカードなどに記憶されている画像データによる画像などをスクリーンに投影するデータプロジェクタが多用されている。
【０００３】
このようなデータプロジェクタにおいては、筐体の下部に投影角度調整装置を設けることで投影角度を調整できるようにしているものが多い。例えば、特開平１０−３２２０３６号公報（特許文献１）では、プロジェクタの底部に設けた螺杵のつまみを回動して、螺杵がプロジェクタの底部から突出する長さを変えることで投影角度を調整する発明が提案されている。
【０００４】
又、特開２００４−０５４０３９号公報（特許文献２）では、プロジェクタ筐体の底部に投影角度調整装置を設置し、上部に設けたボタンを押圧することでこの調整機構から高さ調整用の支持部材が突出し、任意の高さに調整したところでボタンを離すと支持部材が固定され、ボタンを離した高さで投影が可能となるプロジェクタが提案されている。
【特許文献１】特開平１０−３２２０３６号公報
【特許文献２】特開２００４−０５４０３９号公報
【発明の開示】
【発明が解決しようとする課題】
【０００５】
しかし、上述したような従来のプロジェクタでは、投影角度調整装置を専用に設けているため、プロジェクタ内部に機構を収納する必要があり、投影角度調整装置を収納するスペースを余分に必要とするためプロジェクタの薄型化や小型化の妨げとなっていた。
【０００６】
本発明は、このような従来技術の問題点に鑑みてなされたものであり、収納用に広いスペースを必要としない投影角度調整装置を有する薄型のプロジェクタを提供することを目的とする。
【課題を解決するための手段】
【０００７】
本発明のプロジェクタ(1)は、光源装置(63)や冷却ファンを内蔵するデータプロジェクタであって、光源装置(63)をプロジェクタの筐体内部前方に有し、当該光源装置(63)の下方に位置する光源下部カバー(12)が後端を回動軸として開閉可能であることを特徴とするものである。
【０００８】
又、光源下部カバー(12)は、方形状薄板のカバー本体の左右両端に略三角形状の側壁を有し、側壁の一部に係合部(23)を有すると共に、この係合部(23)に先端が係合可能な部材を備えた開閉制御装置(15)を有して光源下部カバー(12)の開閉角が調整固定可能であることを特徴とするものである。
【０００９】
更に、開閉制御装置(15)は、開閉ボタン(13)と、当該開閉ボタン(13)の裏面に配置され開閉ボタンを復帰させる押しバネ(16)と、開閉ボタン(13)の端部と接続し開閉ボタン(13)の動きに連動して摺動する第一連動軸(17)と、第一連動軸(17)の端部と接続し中心にカム軸が摺動する軸摺動孔が形成されたカム板(18)と、カム板(18)の端部と接続し他端が光源下部カバー(12)の係合部(23)の係合溝と係合する第二連動軸(19)とを備えるものである。
【００１０】
そして、冷却ファンは光源装置(63)の後方に配置されると共に、筐体はその内部が冷却ファンを配置した吸気側空間室(121)と光源装置(63)を配置する排気側空間室(122)に区画され、筐体の前面板(3)に排気孔(8)を有するものである。
【００１１】
又、光源装置(63)の下部にランプ下方排気板(131)を有し、このランプ下方排気板(131)は、光源下部カバー(12)よりも僅かに小さな方形状の下面板(133)とこの下面板(133)の前端から立ち上がる前方板(134)を有し、又、この下面板(133)及び前方板(133)に貫通孔(135)を有するものである。
【発明の効果】
【００１２】
本発明によれば、収納用に広いスペースを必要としない投影角度調整装置を有する薄型のプロジェクタを提供することができる。
【発明を実施するための最良の形態】
【００１３】
本発明を実施するための最良の形態のプロジェクタ1は、光源装置63や冷却ファンを内蔵するデータプロジェクタであって、光源装置63をプロジェクタの筐体内部前方に有し、当該光源装置63の下方に位置する光源下部カバー12が後端を回動軸として開閉可能であることを特徴とするものである。
【００１４】
又、光源下部カバー12は、方形状薄板のカバー本体の左右両端に略三角形状の側壁を有し、側壁の一部に係合部23を有すると共に、この係合部23に先端が係合可能な部材を備えた開閉制御装置15を有して光源下部カバー12の開閉角が調整固定可能であることを特徴とするものである。
【００１５】
更に、開閉制御装置15は、開閉ボタン13と、当該開閉ボタン13の裏面に配置され開閉ボタンを復帰させる押しバネ16と、開閉ボタン13の端部と接続し開閉ボタン13の動きに連動して摺動する第一連動軸17と、第一連動軸17の端部と接続し中心にカム軸が摺動する軸摺動孔が形成されたカム板18と、カム板18の端部と接続し他端が光源下部カバー12の係合部23の係合溝と係合する第二連動軸19とを備えるものである。
【００１６】
そして、冷却ファンは光源装置63の後方に配置されると共に、筐体はその内部が冷却ファンを配置した吸気側空間室121と光源装置63を配置する排気側空間室122に区画され、筐体の前面板3に排気孔8を有するものである。
【００１７】
又、光源装置63の下部にランプ下方排気板131を有し、このランプ下方排気板131は、光源下部カバー12よりも僅かに小さな方形状の下面板133とこの下面板133の前端から立ち上がる前方板134を有し、又、この下面板133及び前方板134に貫通孔135を有するものである。
【実施例】
【００１８】
以下、本発明の実施例を図に基づいて詳説する。本発明の一つの実施例に係るプロジェクタの筐体は、図１に示すように、略直方体形状であって、前面板3、右側板5、左側板、背面板及び底面板からなる上面開口の箱形で角に丸味を有する下ケースと、下ケースの上方を覆う上面板2とから構成されている。
【００１９】
そして、前面板3の側方に投影口10を備えると共に、この前面板3には複数の排気孔8を設けており、排気孔8には筐体内の光が外部に漏れないようにするためのルーバー11を備えているものである。
【００２０】
又、上面板2にはキー／インジケータ部40を設けるものであり、このキー／インジケータ部40には、電源スイッチキーや電源のオン又はオフを報知するパワーインジケータ、光源装置のランプを点灯させるランプスイッチキー及びランプの点灯を表示するランプインジケータ、光源装置等が過熱したときに報知をする過熱インジケータ等のキーやインジケータを設けるものである。
【００２１】
更に、図示しない本体ケースの背面には、背面板にＵＳＢ端子や画像信号入力用のＤ−ＳＵＢ端子、Ｓ端子、ＲＣＡ端子等を設ける入出力コネクタ部及び電源アダプタプラグやリモートコントローラからの制御信号を受信するＩｒ受信部等を設けているものである。
尚、右側板5及び図示しない左側板には、各々複数の吸気孔9を設けているものである。
【００２２】
又、底面板7には、図２に示すように、背面板4側の両角部に２つの脚27を備え、右側板5から所定の距離離れた位置から左側板まで膨出部21が形成されている。又、この膨出部21の前面板3と右側板5側の角部近傍にランプ取り出し口132が形成され、このランプ取り出し口132を覆う光源下部カバー12を備えている。
【００２３】
そして、ランプ取り出し口132から右側板5にかけて後述する開閉制御装置が収納される開閉制御装置収納部22が底面板7から膨出して形成されており、この開閉制御装置収納部22の右側板5側端部には光源下部カバー12の開閉を制御する開閉ボタン13が配置されている。
【００２４】
又、ランプ取り出し口132の背面板側の両端部には軸固定部14が形成されており、光源下部カバー12は図示しないカバー軸を軸固定部14に軸着することで回動可能となっている。そして、この光源下部カバー12と２つの脚27とでプロジェクタ1を三点支持しており、プロジェクタ1の投影角度を調整する機能を有しているものである。この光源下部カバー12に関しての詳しい説明は後述する。
【００２５】
そして、このプロジェクタ1のプロジェクタ制御手段は、図３に示すように、制御部41、入出力インターフェース32、画像変換部33、表示エンコーダ34、表示駆動部35等を有するものであって、入出力コネクタ部31から入力された各種規格の画像信号は、入出力インターフェース32、システムバス（ＳＢ）を介して画像変換部33で表示に適した所定のフォーマットの画像信号に統一するように変換された後、表示エンコーダ34に送られるものである。
【００２６】
又、表示エンコーダ34は、送られてきた画像信号をビデオＲＡＭ44に展開記憶させた上でこのビデオＲＡＭ44の記憶内容からビデオ信号を生成して表示駆動部35に出力するものである。
【００２７】
そして、表示エンコーダ34からビデオ信号が入力される表示駆動部35は、送られてくる画像信号に対応して適宜フレームレートで空間的光変調素子（ＳＯＭ）である表示素子51を駆動するものであり、光源装置63からの光を光源側光学系を介して表示素子51に入射することにより、表示素子51の反射光で光像を形成し、投影側光学系とする投影系レンズ群を介して図示しないスクリーンに画像を投影表示するものであり、この投影系レンズ群における可動レンズ群97は、レンズモータ45によりズーム調整やフォーカス調整のための駆動が行われるものである。
【００２８】
又、画像圧縮伸長部36は、画像信号の輝度信号及び色差信号をＡＤＴＣ及びハフマン符号化等の処理によりデータ圧縮して着脱自在な記録媒体とされるメモリカード37に順次書き込む記録処理や、再生モード時はメモリカード37に記録された画像データを読み出し、一連の動画を構成する個々の画像データを1フレーム単位で伸長して画像変換部33を介して表示エンコーダ34に送り、メモリカード37に記憶された画像データに基づいて動画等の表示を可能とするものである。
【００２９】
そして、制御部41は、プロジェクタ1内の各回路の動作制御を司るものであって、ＣＰＵや各種セッティング等の動作プログラムを固定的に記憶したＲＯＭ及びワークメモリとして使用されるＲＡＭ等により構成されている。
【００３０】
又、本体ケースの上面板2に設けられるメインキー及びインジケータ等により構成されるキー／インジケータ部40の操作信号は、直接に制御部41に送出され、リモートコントローラからのキー操作信号は、Ｉｒ受信部38で受信され、Ｉｒ処理部39で復調されたコード信号が制御部41に送られるものである。
【００３１】
尚、制御部41にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００３２】
又、この制御部41は、電源制御回路42を制御するものであり、ランプスイッチキーが操作されると電源制御回路42により光源装置63のランプを点灯させ、更に、冷却ファン駆動制御回路43には、光源装置63や後述する排気側空間室等に設けた温度センサーによる温度検出を行わせて、冷却ファンの回転速度や回転数を制御させ、又、タイマー等により光源装置63のランプ消灯後も冷却ファンの回転を持続させるものである。
【００３３】
そして、これらのＲＯＭ、ＲＡＭ、ＩＣや回路素子は、図４に示す主制御基板としての制御回路基板103に取付けるものであり、電力系の電源制御回路42はランプ電源回路ブロック101に組み込み、制御系の主制御基板とした制御回路基板103と電力系のランプ電源回路ブロック101等を取付ける電源制御回路基板102とを分けて形成しているものである。
【００３４】
又、このプロジェクタ1の内部構造は、図４、図５に示すように、ランプ電源回路ブロック101等を取付けた電源制御回路基板102を右側板5の近傍に配置し、筐体内を区画用隔壁120により背面板4側の吸気側空間室121と前面板3側の排気側空間室122を気密に形成し、この吸気側空間室121にシロッコファンタイプのブロア110を冷却ファンとして背面板4の近傍で底面板上に配置し、排気側空間室122にブロア110の吐出口113を配置している。
【００３５】
更に、排気側空間室122内に光源装置63を配置すると共に、左側板6に沿って光学系ユニット77を配置し、照明側ブロック78と、画像生成ブロック79と、投影側ブロック80とで構成する光学系ユニット77の照明側ブロック78を排気側空間室122に開口連通させて光学系ユニット77の一部が排気側空間室122に位置するように配置されている。又、前面板3の近傍には排気温低減装置114が配置されている。
【００３６】
この光学系ユニット77は、光源装置63の近傍に位置する照明側ブロック78と、画像生成ブロック79と、投影側ブロック80との３つのブロックから構成されており、照明側ブロック78には、図５に示すように、光源装置63から射出された光をカラーホイール71に反射する第１反射ミラー72と、赤色光、緑色光、青色光とするカラーフィルタを周囲に設けてホイールモータ73により回転されるカラーホイール71と、カラーホイール71のフィルタを透過した光を均一な強度分布の光束とするインテグレータロッドとしてのライトトンネル75を備えている。又、図４に示したように、ライトトンネル75を貫通させるように区画用隔壁120と接続する照明側ブロック用隔壁127を備えている。
【００３７】
又、画像生成ブロック79は、ライトトンネル75から射出された光の向きを９０度変更する第２反射ミラー74と、この第２反射ミラー74により反射した光を表示素子51に集光させる複数枚のレンズで形成した光源側レンズ群83及び光源側レンズ群83を透過した光を表示素子51に前方斜め下方から所定の角度で照射する照射ミラー84、照射ミラー84で反射して表示素子51に射出される光を表示素子51に平行光線束として照射するレンズ等を有し、更に、表示素子51とするＤＭＤ（デジタル・マイクロミラー・デバイス）や、この表示素子51を保持する表示素子ユニット等を備えている。
【００３８】
このＤＭＤは、その前方斜め下方から入射した光を、複数のマイクロミラーの傾き方向の切換えにより正面方向に反射するオン状態光線と斜め上方方向に反射するオフ状態光線とに分けて反射することによって画像を表示するものであり、一方の傾き方向に傾動されたマイクロミラーに入射した光をこのマイクロミラーにより正面方向に反射するオン状態光線とし、他方の傾き方向に傾動されたマイクロミラーに入射した光をこのマイクロミラーにより斜め上方に反射してオフ状態光線とすると共に、このオフ状態光線を投影側光学系62の入射口に入射することなく画像生成ブロック79の上面に向けて照射し、正面方向への反射によるオン状態光線により画像を生成表示するものである。
【００３９】
又、投影側ブロック80は、表示素子51で反射されて画像を形成する光をスクリーンに放出する投影側光学系62のレンズ群を有しており、投影側光学系62としては、固定鏡筒に内蔵する固定レンズ群と可動鏡筒に内蔵する可動レンズ群とにより構成し、ズーム機能を備えた可変焦点型レンズとしているものであり、レンズモータにより可動レンズ群を移動させてズーム調整やフォーカス調整を可能としているものである。
【００４０】
又、光学系ユニット77と左側板6との間には投影側光学系のズームや焦点調整等を制御する光学系制御基板86が配置されており、この光学系制御基板86が可動鏡筒や可動レンズ群の動作を制御することで、ズーム機能や焦点調整が可能となるものである。
【００４１】
そして、ブロア110は、吸込み口111を有し、吐出口113は略正方形断面であって、区画用隔壁120に接続され、区画用隔壁120と照明側ブロック78の照明側ブロック用隔壁127によって区画された排気側空間室122にブロア110からの排風を排出するものであって、ブロア110の吸込み口111の近傍には制御回路基板103が配設されるものである。
【００４２】
又、区画用隔壁120は、各種光学系や各種基板等のように比較的低温の装置が配置される吸気側空間室121と、光源装置63のように高温となる装置及び光源装置63の近くに配置される第１反射ミラー72やカラーホイール71などの光源部を配置する排気側空間室122に区画している。
【００４３】
又、この排気側空間室122内に配置される光源装置63は、図５に示したように、防爆ガラスで前面を覆ったリフレクタ65の内部に超高圧水銀ランプを放電ランプ64として設けている。そして、この光源装置63の下部には、図６に示すように、光源装置63の熱が直接筐体に伝わるのを防ぐためのランプ下方排気板131が配置され、底面板7の光源装置63が位置する場所にはランプ交換用のランプ取り出し口132が形成され、更に、ランプ取り出し口132を覆う光源下部カバー12が配置されている。
【００４４】
このランプ下方排気板131は、複数の貫通孔135が形成された方形状薄板である下面板133と、この下面板133の前端から垂直に立ち上がり複数の貫通孔135が形成された前方板134とから形成されたものである。又、このランプ下方排気板131は、光源装置63の下端との間に僅かな間隙を形成するようにして固定螺子136によりプロジェクタ筐体に固定されている。
【００４５】
又、光源下部カバー12は、図７に示すように、ランプ取り出し口132と略同一形状の方形状薄板であるカバー本体と、当該薄板の左右両端から垂直に立ち上がる略三角形状の２枚の側壁とから形成され、この２枚の側壁は、先端部近傍に側壁を延長するように突出して形成されカバー軸が貫挿する軸穴を備える軸固定部を有し、又、所定の一枚の側壁の先端部近傍には複数の係合溝を備えた扇形の係合部23が側壁の先端を中心として形成され、係合部23を有していない一枚の側壁には前方に突出するつまみ突起24を備えているものである。尚、この係合部23の中心角は側壁の先端角よりも大きいため、係合部23の一部は側壁の底部から突出した形状となっている。又、係合部23の下端にはつば部が形成されており、後述する第二連動軸19が係合部23から外れ難くしている。
【００４６】
更に、図８に示すように、この光源下部カバー12の開閉角を制御する開閉制御装置15が光源下部カバー12と右側板5との間の底面板7近傍に配置されている。この開閉制御装置15は、開閉ボタン13と、この開閉ボタン13の裏面とプロジェクタ筐体内の突起との間に配置され押圧された開閉ボタン13を復帰させる押しバネ16と、開閉ボタン13の端部と接続し開閉ボタン13の動きに連動して前面板3と平行に摺動する第一連動軸17と、第一連動軸17の端部と連結し中心にカム軸が貫挿する軸摺動孔を有するカム板18と、カム板18の端部と連結し他端が光源下部カバー12の係合部23の係合溝に先端が係合する部材である第二連動軸19とを備える。
【００４７】
この開閉制御装置15は、開閉ボタン13が押圧されると、第一連動軸17が摺動することによりカム板18の第一連動軸17と接続している端部が引っ張られ、カム板18はカム軸の周縁を軸摺動孔を摺動することで第二連動軸19と接続している端部は第一連動軸17と接続している端部とは逆に動き、第二連動軸19はカム板18に引かれて第一連動軸17の動作方向とは逆に摺動し、これにより係合部23との係合が外れる。これにより、光源下部カバー12は回動自在となる。
【００４８】
そして、開閉ボタン13を開放すると押しバネ16が伸長して開閉ボタン13を復帰させるため、第一連動軸17、カム板18、第二連動軸19も連動して復帰し、第二連動軸19の先端部は光源下部カバー12の係合部23の凹凸と係合し、光源下部カバー12を固定する。又、係合部23の下端に形成したつば部を第二連動軸19の端部が超えてしまった場合は、図６に示したように、第二連動軸19の先端部は光源下部カバー12とは非接触となるため光源下部カバー12の開閉は自由となり、光源下部カバー12の開閉可能角度は垂直以上となり、このように光源下部カバー12が大きく開いた状態でランプ下方排気板131の固定螺子136を外すことで、ランプ下方排気板131が外れ、光源装置63の交換が可能となる。
【００４９】
又、この光源下部カバー12により、光源下部カバー12が閉じている場合には、ランプ下方排気板131の前方板134に形成された貫通孔135より排気が外部に排出され、光源下部カバー12が開いている場合には前方板134の貫通孔135から排出されると共にランプ下方排気板131の下面板133に形成された貫通孔135からも排気が排出され、この下面板133から排出された排気は光源下部カバー12に沿って前方に流れて外部に排出され、プロジェクタ1を載置したテーブル等の上面に排熱風が当たることを防止しているものである。
【００５０】
そして、プロジェクタ1を水平に配置する場合は、図９に示すように、光源下部カバー12を閉じた状態のままで置くことにより光源下部カバー12と２つの脚27とで水平に保持され、投影角度を傾けて配置する場合には、開閉ボタン13を押しながら光源下部カバー12のつまみ突起24を下げて光源下部カバー12を開き、所定の高さで開閉ボタン13を離して光源下部カバー12を固定することで、図１０に示すように、２つの脚27と開いた光源下部カバー12でプロジェクタ筐体が傾いた状態のまま保持されるものである。
【００５１】
又、排気側空間室122の内部や近傍には複数の温度センサが配置されており、排気側空間室122の温度に応じて冷却ファンとするブロア110の回転数を制御しており、光源下部カバー12が開いた状態の時には、排気側空間室122の温度が下がるため、ブロア110の回転数は下がり、これにより騒音も小さくなるものである。
【００５２】
そして、排気側空間室122に配置された排気温低減装置114は、熱伝導性部材であり、本実施例では内壁に毛細管構造を持ち内部が真空の金属パイプに純水、パーフルオロカーボン等の作動液が密封されているヒートパイプ115と、フィン116を用いており、プロジェクタ筐体に成形された排気孔8と高温発熱源である光源装置63との間に配置している。尚、排気温低減装置114は、排気孔8の全面にわたって配置するものとしている。
【００５３】
この排気温低減装置114の構造は、長い棒状の熱伝導部材であるヒートパイプ115が、板状で複数枚のフィン116の中心部を貫通して繋いでいる形状となっている。尚、フィン116は、途中で右側板5に向かって屈折した、くの字形状である。
【００５４】
このようにフィン116をヒートパイプ115に取付けることにより、高温部ではフィン116で吸収した熱をヒートパイプ115に逃し、又、低温部ではヒートパイプ115の熱をフィン116を介して外部に放出することで排気温低減装置114の全体で均一の温度に保つことができる。そして、排気温低減装置114の任意の異なる箇所には、冷却ファンから吐出され高温熱源である光源装置63の内部や直近を通った空気と光源装置63から僅かに離れた空間を通る空気等の互いに異なる温度の空気があたるため、高温の空気があたるフィン116では吸熱、低温の空気があたるフィン116では放熱することになる。
又、フィン116が右側板5方向に傾斜させて取り付けられているため、排気が投影口10に流れることが無く、画像のゆらぎ等が防止できる。
【００５５】
次にプロジェクタ1内の空気の流れについて述べる。図４、図５に示したように背面板4には、表示素子51が位置する場所の後方部分に吸気孔9を設け、背面板4と表示素子51を有する光学系ユニット77との間で空気の流通路を形成し、背面板4に設けた吸気孔9及び左側板6の後方に設けた吸気孔9から吸い込まれる外気を背面板4に沿ってブロア110方向に流すようにしている。
【００５６】
そして、表示素子の後方には表示素子放熱板を配置するものであり、制御回路基板103は２枚の制御基板としてこの２枚の制御回路基板103の間や２枚の制御回路基板103の上方又は下方において、制御回路基板103に沿って流れる空気がブロア110の吸込み口111に吸い込まれるようにしている。
【００５７】
従って、このブロア110のファンを回転させると、冷却ファンとしたブロア110は周辺の空気を吸込み口111より吸い込み、プロジェクタ1内部のブロア110周辺の空気を吸い込むことにより、プロジェクタ1の筐体の側板に設けた多数の吸気孔9からプロジェクタ1の内部に外気を吸い込むことができるものである。
【００５８】
そして、左側板6や背面板4に設けた吸気孔9から吸い込まれる外気の一部は、表示素子放熱板を冷却するように背面板4と光学系ユニット77との間の空気流通路を流れ、制御回路基板103に沿って制御回路基板103の上面や下面及び制御回路基板103の相互間の空間を通ってブロア110の吸込み口111に吸い込まれる。又、左側板6の吸気孔9から吸気されたその他の外気は、光学系ユニット77を冷却する。
【００５９】
又、右側板5の吸気孔9からプロジェクタ1の内部に吸い込まれる外気は、一部はランプ電源回路ブロック101等の周囲を通って電源制御回路基板102を冷却しながら制御回路基板103に至り、制御回路基板103に沿って流れるようにしてブロア110の吸込み口111に吸い込まれる。尚、残りの吸い込まれた外気は区画用隔壁120に沿って流れブロア110の吸込み口111に吸い込まれる。
【００６０】
そして、排気側空間室122に吹き出されるブロア110の排気は、一部がカラーホイール71に沿って流れ、大部分は高温となった光源装置63の周囲に流れる。又、光源装置63の周囲を流れる空気の一部はリフレクタ65に設けられた開口部からリフレクタ65の内部を通るように流れ、他の一部は第１反射ミラー72やカラーホイール71などの近傍を流れて光源装置63と共に光源部の各部を冷却する。
【００６１】
又、光源装置63の下に流れ込んだ排気は、光源下部カバー12が閉じている場合には、図１１に示すように、光源装置63を冷却しながらランプ下方排気板131の貫通孔135に誘導されて前面板3方向に流れ、前方板134の排気孔8より外部に排出される。
【００６２】
そして、光源下部カバー12が開いているときには、図１２に示すように、ランプ下方排気板131の排気孔から排気が外部に排出されると共に、ランプ下方排気板131の貫通孔135から排気が光源下部カバー12に流れ、光源下部カバー12に沿ってプロジェクタ1の前方方向に排出されるものである。
【００６３】
更に、排気側空間室122内で光源装置63やカラーホイール71を冷却した後の高温の空気は、排気温低減装置114の前面板3全面に広がり、前面板3に設けられた排気孔8より外部により排出される。
【００６４】
そして、本発明によれば、光源下部カバー12をプロジェクタ1の脚の一つとして利用し、光源下部カバー12の開閉角度を調整することで投影角度を調整することが可能となるため、投影角度調整用機構を別途設ける必要が無くなり、プロジェクタ筐体内の余分なスペースを削除することができる。
【００６５】
又、この光源下部カバー12を開けた状態で投影可能なため、最も高温となる光源装置63の直下に冷却用の排気を排出する排出口が位置することとなり、プロジェクタ筐体内の温度の低減効果をより高めることができる。
【００６６】
更に、光源下部カバー12を開けることにより排気側空間室122内の温度は下がるため、ブロア110の回転数も下がり回転音による騒音も小さくなる。又、ランプ下方排気板131の下面板133から排出される排気は光源下部カバー12に沿って流れるため、高温の排気が直接プロジェクタ1を設置しているテーブル等に当たることも防止できる。
【００６７】
尚、本発明は以上の実施例に限定されるものでなく、発明の要旨を逸脱しない範囲で自由に変更、改良が可能である。
【図面の簡単な説明】
【００６８】
【図１】本発明の実施例に係るプロジェクタの上面側の斜視図。
【図２】本発明の実施例に係るプロジェクタの底面側の斜視図。
【図３】本発明の実施例に係るプロジェクタの制御ブロック図。
【図４】本発明の実施例に係るプロジェクタの上面板を取り除いた上面図。
【図５】本発明の実施例に係るプロジェクタの底面板を取り除いた底面図。
【図６】本発明の実施例に係るプロジェクタの底面方向からの分解斜視図。
【図７】本発明の実施例に係るプロジェクタの光源下部カバーが開いた状態の底面板を取り除いた底面方向からの斜視図。
【図８】本発明の実施例に係る開閉制御装置の斜視図。
【図９】本発明の実施例に係るプロジェクタの水平載置状態の斜視図。
【図１０】本発明の実施例に係るプロジェクタの投影角度を傾けた状態の斜視図。
【図１１】本発明の実施例に係るプロジェクタの光源下部カバーが閉じた状態の断面図。
【図１２】本発明の実施例に係るプロジェクタの光源下部カバーが開いた状態の断面図。
【符号の説明】
【００６９】
1  プロジェクタ                           2  上面板
3  前面板                                 4  背面板
5  右側板                                 6  左側板
7  底面板                                 8  排気孔
9  吸気孔                                 10  投影口
11  ルーバー                              12  光源下部カバー
13  開閉ボタン                            14  軸固定部
15  開閉制御装置                          16  押しバネ
17  第一連動軸                            18  カム板
19  第二連動軸                            21  膨出部
22  開閉制御装置収納部                    23  係合部
24  つまみ突起                            27  脚
31  入出力コネクタ部
32  入出力インターフェース                33  画像変換部
34  表示エンコーダ                        35  表示駆動部
36  画像圧縮伸長部                        37  メモリカード
38  Ｉｒ受信部                            39  Ｉｒ処理部
40  キー／インジケータ部                  41  制御部
42  電源制御回路                          43  冷却ファン駆動制御回路
44  ビデオＲＡＭ                          45  レンズモータ
47  音声処理部                            48  スピーカ
51  表示素子                              62  投影側光学系
63  光源装置                              64  放電ランプ
65  リフレクタ
71  カラーホイール                        72  第１反射ミラー
73  ホイールモータ                        74  第２反射ミラー
75  ライトトンネル                        77  光学系ユニット
78  照明側ブロック                        79  画像生成ブロック
80  投影側ブロック                        83  光源側レンズ群
84  照射ミラー                            86  光学系制御基板
97  可動レンズ群                          101  ランプ電源回路ブロック
102  電源制御回路基板                     103  制御回路基板
110  ブロア                               111  吸込み口
113  吐出口                               114  排気温低減装置
115  ヒートパイプ                         116  フィン
120  区画用隔壁                           121  吸気側空間室
122  排気側空間室                         127  照明側ブロック用隔壁
131  ランプ下方排気板                     132  ランプ取り出し口
133  下面板                               134  前方板
135  貫通孔                               136  固定螺子
【図１】
2008111898.tif 000003
【図２】
2008111898.tif 000004
【図３】
2008111898.tif 000005
【図４】
2008111898.tif 000006
【図５】
2008111898.tif 000007
【図６】
2008111898.tif 000008
【図７】
2008111898.tif 000009
【図８】
2008111898.tif 000010
【図９】
2008111898.tif 000011
【図１０】
2008111898.tif 000012
【図１１】
2008111898.tif 000013
【図１２】
2008111898.tif 000014